(57)【要約】【課題】主たる記録手段による記録ができない場合に、他の記録手段による記録を、確実に実現することのできる情報記録装置を提供する。【解決手段】情報記録再生装置１は、ＨＤＤ３１に異常が発生すると、ＨＤＤ３１による記録動作から不揮発性メモリ２３による記録動作に切換えて、外部のカメラ１１などから入力される情報を不揮発性メモリ２３に記録する。このとき、外部から入力される情報の情報量を、マルチプレクサ１４および圧縮器１８によって、ＨＤＤ３１用に予め設定された情報量よりも小さい情報量に変更した上で、不揮発性メモリ２３に記録する。不揮発性メモリ２３に情報を記録できない場合は、通信インターフェース２５を介して、外部のバックアップデバイス４０に情報を送信して、記録させる。【選択図】図１
2011076657.tif 000002
【特許請求の範囲】
【請求項１】
外部から入力される情報を記録可能な情報記録装置であって、
前記情報を記録する主記録手段と、
前記主記録手段の異常を検知する検知手段と、
前記検知手段によって、前記主記録手段に異常が発生したことが検知されたとき、前記情報を記録する補助記録手段と、
前記主記録手段および前記補助記録手段に記録される前記情報の情報量を調整する情報量調整手段と、
前記検知手段によって、前記主記録手段に異常が発生したことが検知されると、前記主記録手段による前記情報の記録動作から前記補助記録手段による前記情報の記録動作に切換えるとともに、前記情報の情報量を調整するように前記情報量調整手段を制御する制御手段とを備えることを特徴とする情報記録装置。
【請求項２】
通信回線を介して前記情報を外部の記録手段に送信可能な送信手段をさらに備え、
前記制御手段は、前記補助記録手段が前記情報を記録できないとき、前記情報を前記外部の記録手段に送信するように前記送信手段を制御することを特徴とする請求項１に記載の情報記録装置。
【請求項３】
前記主記録手段に異常が発生したことを表す異常発生情報を外部に報知する報知手段をさらに備え、
前記制御手段は、前記検知手段によって、前記主記録手段に異常が発生したことが検知されると、前記異常発生情報を外部に報知するように前記報知手段を制御することを特徴とする請求項１または２に記載の情報記録装置。
【請求項４】
前記制御手段は、前記検知手段によって、前記主記録手段に異常が発生したことが検知された後、前記異常が解消したことが検知されると、前記補助記録手段による前記情報の記録動作から前記主記録手段による前記情報の記録動作に切換えることを特徴とする請求項１〜３のいずれか１つに記載の情報記録装置。
【請求項５】
前記主記録手段は、ハードディスクドライブであり、
前記補助記録手段は、不揮発性メモリであることを特徴とする請求項１〜４のいずれか１つに記載の情報記録装置。
【請求項６】
前記補助記録手段は、固定して設けられることを特徴とする請求項１〜５のいずれか１つに記載の情報記録装置。
【請求項７】
前記補助記録手段は、取外し可能に設けられることを特徴とする請求項１〜５のいずれか１つに記載の情報記録装置。
【発明の詳細な説明】
【技術分野】
【０００１】
本発明は、外部から入力される映像などの情報を記録可能な情報記録装置に関する。
【背景技術】
【０００２】
監視用途の情報記録装置では、撮影して得られた映像データをハードディスクドライブ（Hard Disk Drive；略称：ＨＤＤ）などの記録媒体に記録している。監視用途の情報記録装置における記録媒体は、常に稼動しているので、故障する確率が高くなる。記録媒体が故障すると、その後の映像データの記録が保障できなくなる。
【０００３】
監視用途の情報記録装置は、映像データを記録することが第一の目的であるので、主たる記録媒体（以下「主記録媒体」という場合がある）の異常時またはその復旧作業のときにも記録動作が継続されるように、何らかのバックアップ対策を講じることが必要な場合がある。
【０００４】
従来の技術では、記録媒体が故障したときの映像データのバックアップ対策として、複数台の記録媒体を並行して動作させ、複数台の記録媒体に同一の映像データを記録させる方法が採られている。この方法によれば、複数台の記録媒体のうちの１台が故障して、映像データを記録できなくなったときでも、故障していない他の記録媒体によって映像データの記録動作を継続することができる。したがって、記録すべき映像データを保障することができる。
【０００５】
このように複数台の記録媒体を用いて映像データを記録する技術は、たとえば特許文献１に開示されている。特許文献１に開示されるディスク記録装置では、複数台のＨＤＤに映像データを並行して記録するとき、主記録側ＨＤＤの記録レートを高く設定し、バックアップ側ＨＤＤの記録レートを低く設定する。これによって、バックアップ側ＨＤＤのアクセス量を少なくして、バックアップ側ＨＤＤを故障しにくくし、主記録側ＨＤＤが故障したときに、より確実にバックアップ側ＨＤＤによって記録動作を継続できるようにしている。
【先行技術文献】
【特許文献】
【０００６】
【特許文献１】特許第３８７９７０２号公報
【発明の概要】
【発明が解決しようとする課題】
【０００７】
特許文献１に開示されるディスク記録装置では、主記録媒体のバックアップ用の記録媒体として、ＨＤＤを用いている。ＨＤＤは、不揮発性メモリなどの他の記録媒体に比べて高価であり、また電力消費量が多いという問題がある。特許文献１に開示される技術のようにバックアップ用の記録媒体としてＨＤＤを用いて、複数台のＨＤＤを備える構成にすると、装置が高価になり、また電力消費量が多くなるという問題が生じる。
【０００８】
バックアップ用の記録媒体として不揮発性メモリを用いることも考えられる。不揮発性メモリは、ＨＤＤに比べて記録容量が少ないので、バックアップ用の記録媒体として不揮発性メモリを用いる場合、比較的短時間で空き容量が無くなり、記録できなくなってしまうという問題がある。
【０００９】
また特許文献１に開示される技術では、バックアップ側ＨＤＤを故障しにくくすることで、バックアップ側ＨＤＤによるバックアップをより確実なものとしているが、バックアップ側ＨＤＤにも記録できない状態が発生した場合の対処方法については考慮していない。
【００１０】
本発明の目的は、主たる記録手段による記録ができない場合に、他の記録手段による記録を、確実に実現することのできる情報記録装置を提供することである。
【課題を解決するための手段】
【００１１】
本発明の情報記録装置は、外部から入力される情報を記録可能な情報記録装置であって、前記情報を記録する主記録手段と、前記主記録手段の異常を検知する検知手段と、前記検知手段によって、前記主記録手段に異常が発生したことが検知されたとき、前記情報を記録する補助記録手段と、前記主記録手段および前記補助記録手段に記録される前記情報の情報量を調整する情報量調整手段と、前記検知手段によって、前記主記録手段に異常が発生したことが検知されると、前記主記録手段による前記情報の記録動作から前記補助記録手段による前記情報の記録動作に切換えるとともに、前記情報の情報量を調整するように前記情報量調整手段を制御する制御手段とを備えることを特徴とする。
【発明の効果】
【００１２】
本発明の情報記録装置によれば、主記録手段に異常が発生していないとき、外部から入力された情報は主記録手段に記録される。主記録手段に異常が発生したことが検知手段によって検知されると、制御手段によって、主記録手段による情報の記録動作から補助記録手段による情報の記録動作に切換えられる。そして、外部から入力された情報は、その情報量が情報量調整手段によって調整されて、補助記録手段に記録される。これによって、主記録手段に情報を記録できない場合、補助記録手段の記録容量に応じた情報量で、補助記録手段に情報を記録することができるので、補助記録手段に記録できなくなってしまうことを可及的に回避することができる。したがって、主記録手段による記録ができない場合に、補助記録手段による記録を、より確実に実現することができる。
【図面の簡単な説明】
【００１３】
【図１】本発明の第１の実施の形態である情報記録再生装置１の構成を示すブロック図である。
【図２】本発明の第１の実施の形態の情報記録再生装置１におけるデータの記録処理に関するＣＰＵ２０の処理手順を示すフローチャートである。
【図３】本発明の第１の実施の形態の情報記録再生装置１におけるデータの記録処理に関するＣＰＵ２０の処理手順を示すフローチャートである。
【図４】本発明の第２の実施の形態である情報記録再生装置１Ａの構成を示すブロック図である。
【図５】本発明の第２の実施の形態の情報記録再生装置１Ａにおけるデータの記録処理に関するＣＰＵ２０の処理手順を示すフローチャートである。
【図６】本発明の第２の実施の形態の情報記録再生装置１Ａにおけるデータの記録処理に関するＣＰＵ２０の処理手順を示すフローチャートである。
【発明を実施するための形態】
【００１４】
＜第１の実施の形態＞
図１は、本発明の第１の実施の形態である情報記録再生装置１の構成を示すブロック図である。情報記録再生装置１は、入力された情報を記録可能に、かつ記録した情報を再生可能に構成される。したがって情報記録再生装置１は、入力された情報を記録可能な情報記録装置としての機能を有する。本実施の形態の情報記録再生装置１は、監視用途に用いられる。情報記録再生装置１は、情報記録再生装置本体２および主記録装置３を備えて構成される。
【００１５】
情報記録再生装置本体２は、入力端子１２、ビデオデコーダ１３、マルチプレクサ１４、出力インターフェース１５、ビデオエンコーダ１６、出力端子１７、圧縮器１８、伸張器１９、中央演算処理装置（Central Processing Unit；略称：ＣＰＵ）２０、メモリ２１、記録媒体インターフェース２２、不揮発性メモリ２３、外部インターフェース２４、通信インターフェース２５およびバックアップ用出力端子２６を備える。主記録装置３は、ハードディスクドライブ（Hard Disk Drive；略称：ＨＤＤ）３１および専用電源３２を備える。情報記録再生装置本体２の記録媒体インターフェース２２は、主記録装置３のＨＤＤ３１と接続されている。
【００１６】
情報記録再生装置１には、入力端子１２を介して、外部から情報（以下「データ」という場合がある）が入力される。本実施の形態では、入力端子１２には、カメラ１１が接続される。カメラ１１は、撮影した映像（以下「カメラ映像」という場合がある）を表すデータとして、アナログの映像信号を出力する。カメラ１１から出力された映像信号は、入力端子１２を介してビデオデコーダ１３に与えられる。
【００１７】
ビデオデコーダ１３は、入力端子１２を介してカメラ１１から与えられた映像信号をデジタル映像信号に変換し、マルチプレクサ１４に与える。マルチプレクサ１４は、ビデオデコーダ１３から与えられたデジタル映像信号の画素サイズを必要に応じて変更する。マルチプレクサ１４は、ビデオデコーダ１３から与えられたデジタル映像信号を記録する場合は、そのデジタル映像信号の画素サイズを、予め設定された画素サイズに変更し、変更後のデジタル映像信号を圧縮器１８に与える。マルチプレクサ１４は、ビデオデコーダ１３から与えられたデジタル映像信号をそのまま出力する場合は、画素サイズを変更せずに、ビデオデコーダ１３から与えられたデジタル映像信号をそのまま出力インターフェース１５に与える。
【００１８】
圧縮器１８は、マルチプレクサ１４から与えられた情報、具体的にはデジタル映像信号の情報量を調整して、メモリ２１に与える。さらに具体的には、圧縮器１８は、マルチプレクサ１４から与えられたデジタル映像信号を圧縮して、予め設定された画像圧縮率に変換し、メモリ２１に与える。マルチプレクサ１４および圧縮器１８は、情報量調整手段に相当する。メモリ２１は、圧縮器１８から与えられた圧縮後のデジタル映像信号を一時的に記憶する。メモリ２１に一時的に記憶されたデジタル映像信号は、記録媒体インターフェース２２を介して主記録装置３のＨＤＤ３１に与えられる。
【００１９】
ＨＤＤ３１は、記録媒体インターフェース２２を介して与えられた情報、具体的にはデジタル映像信号を記録する。ＨＤＤ３１は、主として情報が記録される記録媒体（以下「主記録媒体」という場合がある）であり、主記録手段に相当する。ＨＤＤ３１は、専用電源３２と接続されている。専用電源３２は、情報記録再生装置本体２のＣＰＵ２０と接続されている。専用電源３２は、ＣＰＵ２０から与えられる所定の制御信号に基づいて、スイッチング態様が変化する。
【００２０】
専用電源３２は、ＣＰＵ２０から、ＨＤＤ３１に電力を供給することを表す制御信号（以下「オン信号」という）が与えられると、スイッチング態様がオン（ＯＮ）状態となる。専用電源３２は、スイッチング態様がオン（ＯＮ）状態にされると、ＨＤＤ３１に電力を供給する。また専用電源３２は、ＣＰＵ２０から、ＨＤＤ３１への電力の供給を停止することを表す制御信号（以下「オフ信号」という）が与えられると、スイッチング態様がオフ（ＯＦＦ）状態となる。専用電源３２は、スイッチング態様がオフ（ＯＦＦ）状態にされると、ＨＤＤ３１への電力の供給を停止する。
【００２１】
ＨＤＤ３１に記録されたデジタル映像信号に基づく映像を再生するときには、ＨＤＤ３１に記録されたデジタル映像信号は、記録媒体インターフェース２２を介してメモリ２１に与えられ、一時的に記憶される。その後、メモリ２１に一時的に記憶されたデジタル映像信号は、伸張器１９に与えられる。伸張器１９は、メモリ２１から与えられたデジタル映像信号を、マルチプレクサ１４によって変換される前の画素サイズおよび圧縮器１８によって圧縮される前の画像圧縮率のデジタル映像信号に伸張し、出力インターフェース１５に与える。
【００２２】
出力インターフェース１５は、マルチプレクサ１４または伸張器１９から与えられたデジタル映像信号をビデオエンコーダ１６に与える。ビデオエンコーダ１６は、出力インターフェース１５から与えられたデジタル映像信号を元の映像信号であるアナログの映像信号に復元する。ビデオエンコーダ１６によって復元された映像信号は、出力端子１７から出力される。出力端子１７から出力された映像信号は、たとえば、出力端子１７に接続される液晶ディスプレイなどの表示装置に与えられ、映像信号に基づく映像が表示装置によって表示される。
【００２３】
ＣＰＵ２０は、情報記録再生装置本体２を構成するビデオデコーダ１３、マルチプレクサ１４、出力インターフェース１５、ビデオエンコーダ１６、圧縮器１８、伸張器１９、メモリ２１、記録媒体インターフェース２２、外部インターフェース２４および通信インターフェース２５と、主記録装置３を構成する専用電源３２とを含むハードウェア資源に接続されている。ＣＰＵ２０は、予め不揮発性メモリ２３に記憶された制御プログラムに従って、ＣＰＵ２０に接続されている前述のハードウェア資源を統括的に制御する。具体的には、ＣＰＵ２０は、情報記録再生装置１の一連の処理、たとえば入力端子１２から入力された映像信号などの情報を記録する処理、およびＨＤＤ３１などの記録媒体に記録された映像信号などの情報を再生する処理を制御する。またＣＰＵ２０は、ＨＤＤ３１の状態が正常であるか否かを判断することによって、ＨＤＤ３１の異常を検知する。ＣＰＵ２０は、検知手段および制御手段に相当する。
【００２４】
不揮発性メモリ２３は、前述の制御プログラムを記憶する。また不揮発性メモリ２３は、たとえば、ＨＤＤ３１に異常が発生して、入力端子１２を介してカメラ１１から与えられた映像信号などの情報をＨＤＤ３１に記録することができないなどの不具合が生じたときに、記録媒体インターフェース２２を介して与えられる映像信号を記録する。不揮発性メモリ２３は、ＨＤＤ３１に情報が記録できない場合に補助的に情報が記録される記録媒体であり、補助記録手段に相当する。不揮発性メモリ２３は、フラッシュメモリによって構成される。不揮発性メモリ２３は、情報記録再生装置本体２に固定して設けられる。
【００２５】
外部インターフェース２４には、情報記録再生装置本体２に情報を入力するための入力手段として機能するマウスおよびリモートコントローラ（略称：リモコン）が接続される。ユーザインターフェースとしては、グラフィカルユーザインターフェース（Graphical User Interface；略称：ＧＵＩ）が用いられる。ＧＵＩでは、情報の記録および再生の処理を実行するために、外部インターフェース２４を介して入力された情報に基づいて、設定メニューなどの画面表示情報を生成し、生成した画面表示情報をビデオエンコーダ１６に与えることによって、画面表示情報を映像信号に重畳させて出力端子１７から出力する。
【００２６】
通信インターフェース２５には、バックアップ用出力端子２６を介して、情報記録再生装置１の外部の記録手段であるバックアップデバイス４０が接続可能である。バックアップ用出力端子２６にバックアップデバイス４０が接続されると、映像信号をバックアップデバイス４０に記録させることができる。バックアップデバイス４０は、ＨＤＤによって構成される。
【００２７】
また通信インターフェース２５には、不図示の通信回線、たとえばローカルエリアネットワーク（Local Area Network；略称：ＬＡＮ）が接続されており、ＬＡＮを介したデータ通信を行うことが可能である。たとえばＨＤＤ３１に異常が発生した場合、通信インターフェース２５を介して、ＬＡＮで接続される外部の監視センタに備えられる通信装置（以下「監視センタ用通信装置」という）などに、ＨＤＤ３１に異常が発生したことを表す異常発生情報（以下「エラー情報」という場合がある）を報知することができる。監視センタは、たとえば情報記録再生装置１の設置場所から離れた場所に設けられる。監視センタの設置場所は、情報記録再生装置１の設置場所から遠く離れた遠隔地でもよいし、情報記録再生装置１の設置場所と同じビル内などの比較的近い場所であってもよい。通信インターフェース２５は、送信手段および報知手段に相当する。
【００２８】
図２および図３は、本発明の第１の実施の形態の情報記録再生装置１におけるデータの記録処理に関するＣＰＵ２０の処理手順を示すフローチャートである。図２および図３に示すフローチャートの処理は、利用者によって情報記録再生装置１の電源が投入、すなわちオンされ、情報記録再生装置１に電力が供給されると開始され、ステップａ１に移行する。情報記録再生装置１に電力が供給されると、ＣＰＵ２０によって主記録装置３の専用電源３２にオン信号が与えられ、専用電源３２からＨＤＤ３１への電力の供給が開始され、ＨＤＤ３１が起動する。
【００２９】
ステップａ１では、ＣＰＵ２０は、入力端子１２から入力されるデータを、ＨＤＤ用に予め設定された画素サイズおよび画像圧縮率でＨＤＤ３１に記録させて、ステップａ２に移行する。本実施の形態では、データとして、カメラ映像のデジタル映像信号が記録される。具体的には、ＣＰＵ２０は、マルチプレクサ１４によって、デジタル映像信号のデータサイズ、具体的には画素サイズを、ＨＤＤ用に予め設定された画素サイズに変換させる。またＣＰＵ２０は、圧縮器１８によってデジタル映像信号を圧縮させて、デジタル映像信号の画像圧縮率を、ＨＤＤ用に予め設定された画像圧縮率に変換させる。そして、ＣＰＵ２０は、メモリ２１に記憶された変換後のデジタル映像信号を、記録媒体インターフェース２２を介してＨＤＤ３１に与えて記録させる。
【００３０】
ステップａ２では、ＣＰＵ２０は、ＨＤＤ３１の状態が正常であるか否かを判断する。ＣＰＵ２０は、ＨＤＤ３１の状態を確認するための確認信号をＨＤＤ３１に与え、その確認信号に対するＨＤＤ３１からの応答の有無および種類に基づいて、ＨＤＤ３１の状態が正常であるか否かを判断する。ＣＰＵ２０は、ＨＤＤ３１から確認信号に対する応答を受取り、かつ、その応答が、エラーが発生していることを表すエラー応答でない場合、ＨＤＤ３１の状態が正常であると判断する。ＣＰＵ２０は、ＨＤＤ３１から確認信号に対する応答が受取れない場合、およびＨＤＤ３１から受取った応答がエラー応答である場合、ＨＤＤ３１の状態が正常ではないと判断する。ステップａ２において、ＨＤＤ３１の状態が正常であると判断した場合は、ステップａ３に移行し、ＨＤＤ３１の状態が正常ではない、つまり異常であると判断した場合は、ステップａ４に移行する。
【００３１】
ステップａ３では、ＣＰＵ２０は、ＨＤＤ３１に記録すべきデータがメモリ２１に残っているか否かに基づいて、データの記録動作を終了するか否かを判断する。ＣＰＵ２０は、ＨＤＤ３１に記録すべきデータがメモリ２１に残っている場合は、データの記録動作を終了しないと判断し、ＨＤＤ３１に記録すべきデータがメモリ２１に残っていない場合は、データの記録動作を終了すると判断する。ステップａ３において、データの記録動作を終了すると判断した場合は、全ての処理手順を終了する。ステップａ３において、データの記録動作を終了しない、すなわち記録動作を継続すると判断した場合は、ステップａ１に戻る。
【００３２】
ステップａ４では、ＣＰＵ２０は、主記録装置３のＨＤＤ３１から、ＨＤＤ３１に異常が発生したことを表す異常発生情報として、エラー応答を受取ったか否かを判断する。エラー応答には、たとえばエラーの内容が含まれる。ステップａ４において、ＨＤＤ３１からエラー応答を受取ったと判断した場合は、ステップａ５に移行し、ＨＤＤ３１からエラー応答を受取っていないと判断した場合は、ステップａ６に移行する。
【００３３】
ステップａ５では、ＣＰＵ２０は、受取ったエラー応答に関するログデータをメモリ２１に記憶させる。ログデータとしては、たとえばエラー応答を受取った日時およびエラー応答に含まれるエラーの内容などが記憶される。ステップａ５の処理の終了後は、ステップａ１に戻る。
【００３４】
ステップａ６では、ＣＰＵ２０は、データを記録させる記録媒体を、ＨＤＤ３１から不揮発性メモリ２３に切換える。より詳細には、ＣＰＵ２０は、記録媒体インターフェース２２に対して、与えられたデータの出力先をＨＤＤ３１から不揮発性メモリ２３に切換えるように指示する。記録媒体が不揮発性メモリ２３に切換えられると、ステップａ７に移行する。
【００３５】
ステップａ７では、ＣＰＵ２０は、不揮発性メモリ２３へのデータの記録が可能であるか否かを判断する。ＣＰＵ２０は、不揮発性メモリ２３の状態を確認するための確認信号を不揮発性メモリ２３に与え、その確認信号に対する不揮発性メモリ２３からの応答の有無および不揮発性メモリ２３の記録容量の残量に基づいて、不揮発性メモリ２３へのデータの記録が可能であるか否かを判断する。
【００３６】
具体的には、ＣＰＵ２０は、不揮発性メモリ２３から確認信号に対する応答を受取り、かつ不揮発性メモリ２３の残量が、記録すべきデータのデータ量以上である場合、不揮発性メモリ２３へのデータの記録が可能であると判断する。ＣＰＵ２０は、不揮発性メモリ２３から確認信号に対する応答が受取れない場合、不揮発性メモリ２３に異常が発生していると判断して、不揮発性メモリ２３へのデータの記録が可能ではない、すなわち不可能であると判断する。またＣＰＵ２０は、不揮発性メモリ２３から確認信号に対する応答を受取ったが、不揮発性メモリ２３の残量が、記録すべきデータのデータ量未満である場合、不揮発性メモリ２３へのデータの記録が不可能であると判断する。
【００３７】
ステップａ７において、不揮発性メモリ２３へのデータの記録が可能であると判断した場合は、ステップａ８に移行し、不揮発性メモリ２３へのデータの記録が可能ではない、すなわち記録が不可能であると判断した場合は、ステップａ９に移行する。
【００３８】
ステップａ８では、ＣＰＵ２０は、不揮発性メモリ２３にデータを記録させる。不揮発性メモリ２３は、ＨＤＤ３１よりも記録容量が比較的小さいので、ＣＰＵ２０は、マルチプレクサ１４および圧縮器１８によって、記録すべきデータの情報量であるデータ量を、ＨＤＤ用に予め設定された値よりも小さく変更した上で、不揮発性メモリ２３にデータを記録させる。本実施の形態では、ＣＰＵ２０は、記録すべきデータである映像信号を、画素サイズが、ＨＤＤ用に予め設定された画素サイズよりも小さくなり、かつ画像圧縮率が、ＨＤＤ用に予め設定された画像圧縮率よりも高くなるように変更した上で、不揮発性メモリ２３に記録させる。不揮発性メモリ２３にデータが記録されると、ステップａ１０に移行する。
【００３９】
ステップａ９では、ＣＰＵ２０は、バックアップデバイス４０にデータを記録させて、ステップａ１０に移行する。ＣＰＵ２０は、通信インターフェース２５を介して、バックアップ用出力端子２６に接続されているバックアップデバイス４０にデータを送信することによって、バックアップデバイス４０にデータを記録させる。ＣＰＵ２０は、バックアップデバイス４０にデータを送信するときの通信回線の帯域幅が狭い場合などを考慮して、記録すべきデータの情報量を、ＨＤＤ用に予め設定された値よりも小さく変更した上で、バックアップデバイス４０にデータを送信する。本実施の形態では、ＣＰＵ２０は、記録すべきデータである映像信号を、画素サイズが、ＨＤＤ用に予め設定された画素サイズよりも小さくなり、かつ画像圧縮率が、ＨＤＤ用に予め設定された画像圧縮率よりも高くなるように変更した上で、バックアップデバイス４０に送信する。
【００４０】
ステップａ１０では、ＣＰＵ２０は、ＨＤＤ３１を再起動させる。より詳細には、ＣＰＵ２０は、まず主記録装置３の専用電源３２にオフ信号を与える。専用電源３２は、ＣＰＵ２０から与えられるオフ信号に基づいて、ＨＤＤ３１への電力の供給を停止する。次いでＣＰＵ２０は、主記録装置３の専用電源３２にオン信号を与える。専用電源３２は、ＣＰＵ２０から与えられるオン信号に基づいて、ＨＤＤ３１に電力を供給する。これによって、ＨＤＤ３１が再起動される。ＨＤＤ３１が再起動すると、図３のステップａ１１に移行する。
【００４１】
図３のステップａ１１では、ＣＰＵ２０は、ステップａ２と同様にして、ＨＤＤ３１の状態が正常であるか否かを判断する。ステップａ１１において、ＨＤＤ３１の状態が正常であると判断した場合は、ステップａ１２に移行し、ＨＤＤ３１の状態が正常ではない、つまり異常であると判断した場合は、ステップａ１５に移行する。
【００４２】
ステップａ１２では、ＣＰＵ２０は、データを記録させる記録媒体を、不揮発性メモリ２３からＨＤＤ３１に切換える。より詳細には、ＣＰＵ２０は、記録媒体インターフェース２２に対して、与えられたデータの出力先を不揮発性メモリ２３からＨＤＤ３１に切換えるように指示する。ステップａ１２において記録媒体がＨＤＤ３１に切換えられると、ステップａ１３に移行する。
【００４３】
ステップａ１３では、ＣＰＵ２０は、ＨＤＤ３１が再起動されたことを表す情報（以下「再起動情報」という）を、通信インターフェース２５を介して、ＬＡＮで接続されている監視センタ用通信装置に送信する。再起動情報が送信されると、ステップａ１４に移行する。
【００４４】
ステップａ１４では、ＣＰＵ２０は、ＨＤＤ３１の再起動に関するログデータをメモリ２１に記憶させる。ログデータとしては、たとえば再起動情報およびその再起動情報が監視センタ用通信装置に送信された日時などが記憶される。ステップａ１４の処理の終了後は、ステップａ３に戻る。ステップａ１４からステップａ３に戻って、データの記録動作を終了しないと判断されてステップａ１に戻った場合、ステップａ１において、ＣＰＵ２０は、ステップａ８で変更された画素サイズおよび画像圧縮率をそれぞれ、ＨＤＤ用に予め設定された画素サイズおよび画像圧縮率に戻して、データをＨＤＤ３１に記録させる。
【００４５】
ステップａ１１からステップａ１５に移行した場合、ステップａ１５では、ＣＰＵ２０は、異常発生情報として、データを記録させる記録媒体をＨＤＤ３１から不揮発性メモリ２３に切換えたことを表す切換情報を、通信インターフェース２５を介して、監視センタ用通信装置に送信する。切換情報を送信すると、ステップａ１６に移行する。
【００４６】
監視センタ用通信装置は、情報記録再生装置１から送信された異常発生情報、具体的には切換情報を受信すると、異常発生情報を受信したことを表す受信情報を、たとえば表示手段に表示して、監視センタの保守員に報知する。これを受けて、監視センタの保守員は、ＨＤＤ３１に異常が発生している情報記録再生装置１が設けられている場所に出向き、情報記録再生装置１のうち、異常が発生したＨＤＤ３１のみを取り外して、正常な、すなわち記録動作が可能なＨＤＤ３１に取換える。
【００４７】
そして保守員は、ＨＤＤ３１に対してデータの記録動作を実行する運用に修復させる作業を行う。このとき、保守員は、メモリ２１に記録されたログデータを確認し、ＨＤＤ３１に異常が発生してから正常なＨＤＤ３１に取換えられるまでの間に不揮発性メモリ２３に画像データとして映像信号が記録されているか否かを判断する。保守員は、元のＨＤＤ３１に異常が発生してから正常なＨＤＤ３１に取換えられるまでの間に画像データが記録されている場合には、その間の画像データを不揮発性メモリ２３から取出すことができる。
【００４８】
ステップａ１６では、ＣＰＵ２０は、ステップａ３と同様にして、データの記録動作を終了するか否かを判断する。ステップａ１６において、データの記録動作を終了すると判断した場合は、全ての処理手順を終了する。ステップａ１６において、データの記録動作を終了しない、すなわち記録動作を継続すると判断した場合は、ステップａ１７に移行する。
【００４９】
ステップａ１７では、ＣＰＵ２０は、ステップａ７と同様にして、不揮発性メモリ２３へのデータの記録が可能であるか否かを判断する。ステップａ１７において、不揮発性メモリ２３へのデータの記録が可能であると判断した場合は、ステップａ１８に移行し、不揮発性メモリ２３へのデータの記録が可能ではない、すなわち記録が不可能であると判断した場合は、ステップａ１９に移行する。
【００５０】
ステップａ１８では、ＣＰＵ２０は、ステップａ８と同様にして、不揮発性メモリ２３にデータを記録させる。具体的に述べると、ＣＰＵ２０は、記録すべきデータである映像信号の画素サイズおよび画像圧縮率をそれぞれ、ＨＤＤ用に予め設定された画素サイズよりも小さく、かつＨＤＤ用に予め設定された画像圧縮率よりも高くなるように変更した上で、不揮発性メモリ２３にデータを記録させる。不揮発性メモリ２３にデータが記録されると、ステップａ１０に戻る。
【００５１】
ステップａ１９では、ＣＰＵ２０は、ステップａ９と同様にして、バックアップデバイス４０にデータを記録させる。具体的に述べると、ＣＰＵ２０は、記録すべきデータである映像信号の画素サイズおよび画像圧縮率をそれぞれ、ＨＤＤ用に予め設定された画素サイズよりも小さく、かつＨＤＤ用に予め設定された画像圧縮率よりも高くなるように変更する。そして、ＣＰＵ２０は、通信インターフェース２５を介して、バックアップ用出力端子２６に接続されているバックアップデバイス４０に、前述のように画素サイズおよび画像圧縮率を変更したデータを送信することによって、バックアップデバイス４０にデータを記録させる。バックアップデバイス４０にデータを記録させると、ステップａ１０に戻る。
【００５２】
以上のように本実施の形態の情報記録再生装置１によれば、図２のステップａ２において、ＨＤＤ３１に異常が発生したことがＣＰＵ２０によって検知されると、ステップａ６において、記録媒体がＨＤＤ３１から不揮発性メモリ２３に切換えられる。これによって、外部から入力されるデータの記録動作が、ＨＤＤ３１による記録動作から、不揮発性メモリ２３による記録動作に切換えられる。このように本実施の形態の情報記録再生装置１では、記録媒体が切換えられるので、ＣＰＵ２０によってＨＤＤ３１に異常が生じたと判断された場合でも、不揮発性メモリ２３によってデータの記録を継続することができる。
【００５３】
これに対して、ＨＤＤ３１に異常が発生したときに記録媒体が切換えられない構成では、ＨＤＤ３１が１回の再起動で復帰してデータの記録動作が可能になった場合でも、ＨＤＤ３１に異常が発生してから復帰するまでの間のデータが喪失してしまうという問題が生じる。
【００５４】
本実施の形態の情報記録再生装置１では、前述のようにＨＤＤ３１に異常が発生してから復帰するまでの間は、不揮発性メモリ２３にデータを記録させるので、ＨＤＤ３１に異常が発生してから復帰するまでの間のデータの喪失を防ぐことができる。
【００５５】
また本実施の形態では、図２のステップａ８または図３のステップａ１８において、外部のカメラ１１から入力された映像信号を不揮発性メモリ２３に記録するときには、マルチプレクサ１４および圧縮器１８によって、記録すべき映像信号のデータ量が調整される。具体的には、記録すべき映像信号の画素サイズおよび画像圧縮率が、不揮発性メモリ２３に応じた画素サイズおよび画像圧縮率に変更される。画素サイズおよび画像圧縮率としては、ＨＤＤ３１に異常が発生してから、保守員によってＨＤＤ３１が修復されるまでの最大時間を想定し、その間のデータを不揮発性メモリ２３に記録してデータのバックアップができるように、不揮発性メモリ２３の記録容量を考慮した画素サイズおよび画像圧縮率が設定される。
【００５６】
このようにＨＤＤ３１と不揮発性メモリ２３とで、記録させるデータのデータ量を変更することによって、不揮発性メモリ２３の記録容量を節約することができる。つまり、本実施の形態では、不揮発性メモリ２３の記録容量に応じた情報量で、不揮発性メモリ２３に映像信号を記録することができるので、不揮発性メモリ２３の残量が不足して記録できなくなってしまうことを可及的に回避することができる。したがって、ＨＤＤ３１による記録ができない場合に、不揮発性メモリ２３による記録を、より確実に実現することができる。
【００５７】
また本実施の形態の情報記録再生装置１は、主記録手段としてＨＤＤ３１を備え、補助記録手段として不揮発性メモリ２３を備える。不揮発性メモリは、ＨＤＤに比べて安価であり、また電力消費量が少ない。したがって本実施の形態のように補助記録手段として不揮発性メモリ２３を備えることによって、主記録手段であるＨＤＤ３１による記録ができない場合に、補助記録手段による記録を、安価に、かつ可及的に低い電力消費量で実現することができる。
【００５８】
また本実施の形態では、不揮発性メモリ２３に異常が発生した場合および記録容量の残量が無くなった場合のように、不揮発性メモリ２３への記録が不可能になった場合は、図２のステップａ９または図３のステップａ１９において、情報記録再生装置１の外部のバックアップデバイス４０にデータを送信して記録させる。これによって、ＨＤＤ３１および不揮発性メモリ２３のいずれの記録手段でもデータの記録ができない場合であっても、バックアップデバイス４０にデータを記録することができる。したがって、情報記録再生装置１は必要最小限の構成で、充分なバックアップ機能を実現することができる。
【００５９】
また本実施の形態の情報記録再生装置１では、図３のステップａ１８またはステップａ１９において、不揮発性メモリ２３またはバックアップデバイス４０へのデータの記録を実行しているときであっても、ステップａ１１において、ＨＤＤ３１の状態を監視している。これによって、ＨＤＤ３１が一過性の異常状態から復帰して記録動作が可能になった場合には、図２のステップａ１に戻って、予め設定された画素サイズおよび画像圧縮率で、ＨＤＤ３１へのデータの記録動作を再開することができる。
【００６０】
また本実施の形態の情報記録再生装置１では、情報記録再生装置本体２と主記録装置３とが別個に設けられ、主記録装置３のＨＤＤ３１には、主記録装置３内の専用電源３２から電力が供給される。すなわちＨＤＤ３１は、情報記録再生装置本体２とは独立して起動可能である。これによって、情報記録再生装置本体２の不揮発性メモリ２３または外部のバックアップデバイス４０でデータの記録を継続しながら、ＨＤＤ３１を個別に再起動することができる。したがって、ＨＤＤ３１に異常が発生してデータの記録動作が停止している期間のデータの喪失を防ぐとともに、ＨＤＤ３１による記録動作を早期に再開させることが可能である。ＨＤＤ３１にデータを記録する場合には、不揮発性メモリ２３またはバックアップデバイス４０に記録する場合に比べて、より大きいデータ量で記録することができるので、比較的データ量が大きい高品質の映像を記録することが可能である。
【００６１】
また図３に示すフローチャートのステップａ１５では、異常発生情報として、記録媒体をＨＤＤ３１から不揮発性メモリ２３に切換えたことを表す切換情報を、通信インターフェース２５を介して監視センタ用通信装置に送信している。これによって、監視センタの保守員に対して修復作業を行うように促すことができるので、ＨＤＤ３１による記録動作を早期に再開させることが可能である。
【００６２】
不揮発性メモリ２３へのデータの記録動作が継続している状態で、監視センタから保守員が来ない場合、不揮発性メモリ２３の記録容量の残量が無くなり、データの記録動作を継続できなくなることが考えられる。したがって、ステップａ１５の監視センタへの切換情報の送信が繰返し行われる場合には、ステップａ１８において、不揮発性メモリ２３の記録容量の残量値に応じて、さらにデータ量を小さくして不揮発性メモリ２３に記録するか、またはステップａ１７からステップａ１９に移行して、通信インターフェース２５を介してバックアップデバイス４０にデータを送信して記録させることが好ましい。
【００６３】
この場合、ステップａ１８では、ＣＰＵ２０は、具体的には、マルチプレクサ１４によって画素サイズをさらに小さくし、かつ圧縮器１８によって画像圧縮率をさらに高くして、画像データサイズをさらに小さくして、記録させる。またステップａ１７では、ＣＰＵ２０は、不揮発性メモリ２３の記録容量の残量値が、予め定める値未満である場合に、不揮発性メモリ２３へのデータの記録が不可能であると判断し、ステップａ１７からステップａ１９に移行するように構成される。
【００６４】
＜第２の実施の形態＞
図４は、本発明の第２の実施の形態である情報記録再生装置１Ａの構成を示すブロック図である。本実施の形態の情報記録再生装置１Ａは、前述の第１の実施の形態の情報記録再生装置１と構成が類似しているので、対応する箇所には同一の参照符を付して、第１の実施の形態と共通する説明を省略する。情報記録再生装置１Ａは、情報記録再生装置本体２Ａおよび主記録装置３を備えて構成される。情報記録再生装置本体２Ａは、入力端子１２、ビデオデコーダ１３、マルチプレクサ１４、出力インターフェース１５、ビデオエンコーダ１６、出力端子１７、圧縮器１８、伸張器１９、ＣＰＵ２０、メモリ２１、記録媒体インターフェース２２、不揮発性メモリ２３、外部インターフェース２４および通信インターフェース２５を備える。不揮発性メモリ２３は、情報記録再生装置本体２Ａに固定して設けられる。
【００６５】
情報記録再生装置本体２Ａは、第１の実施の形態の情報記録再生装置本体２の構成から、バックアップ用出力端子２６を除いた構成になっている。さらに述べると、第１の実施の形態では、通信インターフェース２５にバックアップ用出力端子２６を介してバックアップデバイス４０が接続されているが、本実施の形態では、通信インターフェース２５にバックアップデバイス４０は接続されていない。
【００６６】
図５および図６は、本発明の第２の実施の形態の情報記録再生装置１Ａにおけるデータの記録処理に関するＣＰＵ２０の処理手順を示すフローチャートである。図５および図６に示すフローチャートの処理は、利用者によって情報記録再生装置１Ａの電源が投入、すなわちオンされ、情報記録再生装置１Ａに電力が供給されると開始され、ステップｂ１に移行する。
【００６７】
図５に示すフローチャートのステップｂ１〜ステップｂ８の各処理は、図２に示すフローチャートのステップａ１〜ステップａ６、ステップａ８，ａ１０の各処理と同様であるので、説明を省略する。本実施の形態では、通信インターフェース２５にはバックアップデバイス４０が接続されていないので、図２のステップａ７と同様のステップ、すなわち不揮発性メモリへのデータの記録が可能であるか否かを判断するステップは設けられていない。ＣＰＵ２０は、ステップｂ６において、図２のステップａ６と同様にして記録媒体を不揮発性メモリ２３に切換えた後は、ステップｂ７に移行して、図２のステップａ８と同様にして不揮発性メモリ２３にデータを記録させる。
【００６８】
また図６に示すフローチャートのステップｂ９〜ｂ１６の各処理は、図３に示すフローチャートのステップａ１１〜ステップａ１８の各処理と同様であるので、説明を省略する。本実施の形態では、ＣＰＵ２０は、ステップｂ１６において、図３のステップａ１８と同様にして、不揮発性メモリ２３にデータを記録させた後は、ステップｂ１４に戻る。
【００６９】
またステップｂ１５では、ＣＰＵ２０は、不揮発性メモリ２３へのデータの記録が可能ではない、すなわち不可能であると判断すると、ステップｂ１７に移行する。ステップｂ１７では、ＣＰＵ２０は、異常発生情報として、バックアップ用の記録媒体である不揮発性メモリ２３へのデータの記録が不可能であることを表すバックアップ記録不可情報を監視センタ用通信装置に送信する。ステップｂ１７の処理を終了した後は、ステップｂ１４に戻る。
【００７０】
以上のように本実施の形態の情報記録再生装置１Ａによれば、第１の実施の形態の情報記録再生装置１と同様に、ＨＤＤ３１に異常が発生すると、記録媒体をＨＤＤ３１から不揮発性メモリ２３に切換えて、不揮発性メモリ２３にデータを記録させる。また不揮発性メモリ２３に記録されるデータは、不揮発性メモリ２３の記録容量に応じたデータ量に変更された上で、不揮発性メモリ２３に記録される。
【００７１】
したがって、第１の実施の形態と同様に、ＨＤＤ３１に異常が発生してから復帰するまでの間のデータの喪失を防ぐことができる。また不揮発性メモリ２３の残量が不足して記録できなくなってしまうことを可及的に回避することができるので、ＨＤＤ３１による記録ができない場合に、不揮発性メモリ２３による記録を、より確実に実現することができる。
【００７２】
また本実施の形態の情報記録再生装置１Ａでは、図６のステップｂ１５において、不揮発性メモリ２３へのデータの記録が不可能であると判断されると、ステップｂ１７において、バックアップ記録不可情報が監視センタ用通信装置に送信される。これによって、監視センタの保守員に対して修復作業を行うように促すことができるので、情報記録再生装置１Ａにおける記録動作を早期に再開させることが可能である。
【００７３】
以上に述べた第１および第２の実施の形態は、本発明の例示に過ぎず、本発明の範囲内において構成を変更することができる。たとえば、記録すべきデータの画素サイズおよび画像圧縮率は、不揮発性メモリ２３にデータを記録するときの値として予め設定される値に固定されていなくてもよく、記録するときの不揮発性メモリ２３の記録容量の残量に応じて調整されてもよい。また第１の実施の形態において、バックアップデバイス４０にデータを記録するときには、記録すべきデータのデータ量を減らしているが、状況によっては、減らさずに、逆に増やすようにしてもよい。たとえば、バックアップデバイス４０にデータを送信するときの通信回線の帯域幅が充分に広い場合には、ＨＤＤ３１に記録するときのデータ量と同じ、またはそれ以上の大きさのデータ量で、データを記録するようにしてもよい。
【００７４】
また前述の第１および第２の実施の形態では、不揮発性メモリ２３は、情報記録再生装置本体２，２Ａに固定して設けられているが、本発明の他の実施の形態では、取外し可能に設けられてもよい。
【００７５】
不揮発性メモリ２３が情報記録再生装置本体２，２Ａに固定して設けられる場合、情報記録再生装置本体２，２Ａの構成を簡略化することができる。したがって、前述のようにＨＤＤ３１に異常が発生した場合の不揮発性メモリ２３による記録をより確実に実行することのできる情報記録再生装置１，１Ａを、安価に実現することができる。
【００７６】
不揮発性メモリ２３が情報記録再生装置本体２，２Ａから取外し可能に設けられる場合、ＨＤＤ３１に異常が発生してから正常なＨＤＤ３１に取換えられるまでの間に不揮発性メモリ２３に記録されたデータを容易に外部に取出すことができる。したがって、監視センタの保守員は、ＨＤＤ３１に異常が発生してから正常なＨＤＤ３１に取換えられるまでの間に不揮発性メモリ２３に記録されたデータを容易に収集することができる。また、データが記録された不揮発性メモリ２３を、新しい不揮発性メモリ２３と取換えることによって、ＨＤＤ３１による記録動作を早期に再開させることが可能である。
【００７７】
また前述の第１および第２の実施の形態では、主記録手段である主記録媒体は、ＨＤＤ３１によって構成されているが、これに限定されず、ＨＤＤ以外の他の記録媒体によって構成されてもよい。また補助記録手段である不揮発性メモリ２３は、フラッシュメモリによって構成されているが、ＨＤＤ３１へのデータの記録動作ができないときに、いわゆるバックアップとしての記録動作が実行可能な記録媒体であればよく、たとえばＥＥＰＲＯＭ（Electrically Erasable Programmable Read-Only Memory）によって構成されてもよい。またバックアップデバイス４０は、ＨＤＤによって構成されているが、これに限定されず、ＤＶＤ−ＲＯＭ（Digital Versatile Disk-Read Only Memory）、ＤＶＤ−Ｒ（Digital Versatile Disk-Recordable）、ＤＶＤ−ＲＷ（Digital Versatile Disk-ReWritable）、ＢＤ（Blu-ray Disc）、ＨＤ−ＤＶＤ（High Definition-Digital Versatile Disk）などの光記録媒体によって構成されてもよい。
【００７８】
また前述の第１および第２の実施の形態の情報記録再生装置１，１Ａは、監視用途に用いられるが、これに限定されず、他の用途に用いられてもよい。
【符号の説明】
【００７９】
１，１Ａ  情報記録再生装置、２  情報記録再生装置本体、３  主記録装置、１１  カメラ、１２  入力端子、１３  ビデオデコーダ、１４  マルチプレクサ、１５  出力インターフェース、１６  ビデオエンコーダ、１７  出力端子、１８  圧縮器、１９  伸張器、２０  ＣＰＵ、２１  メモリ、２２  記録媒体インターフェース、２３  不揮発性メモリ、２４  外部インターフェース、２５  通信インターフェース、２６  バックアップ用出力端子、３１  ＨＤＤ、３２  専用電源。
【図１】
2011076657.tif 000003
【図２】
2011076657.tif 000004
【図３】
2011076657.tif 000005
【図４】
2011076657.tif 000006
【図５】
2011076657.tif 000007
【図６】
2011076657.tif 000008